(57)【要約】【課題】形状や大きさが様々な物品を、用途に応じて出し入れしやすく、且つ、高さ方向及び巾方向に効率よく整理収納することができる洗面台を提供する。【解決手段】下段引出し（３）の前板（３ａ）の高さが、上段引出し（２）の前板（２ａ）の高さの３倍以上である上下２段の引出し付き洗面台であって、前記下段引出し（３）には下段引出し（３）の前板（３ａ）の奥側で下段引出し（３）の底板（３ｂ）の上部に幅方向に段差（４ｅ）を設けた深さの異なる内引出し（４）が着脱可能で且つ前後スライド可能に具備されている。【選択図】図１
2010075326.tif 000002
【特許請求の範囲】
【請求項１】
下段引出し（３）の前板（３ａ）の高さが、上段引出し（２）の前板（２ａ）の高さの３倍以上である上下２段の引出し付き洗面台であって、前記下段引出し（３）には下段引出し（３）の前板（３ａ）の奥側で下段引出し（３）の底板（３ｂ）の上部に幅方向に段差（４ｅ）を設けた深さの異なる内引出し（４）が着脱可能で且つ前後スライド可能に具備されていることを特徴とする洗面台。
【請求項２】
前記内引出し（４）の段差（４ｅ）は、底板（４ｂ）に設けた開口部（４ｉ）に深底収納体（５）を着脱可能に設置することにより構成することを特徴とする請求項１に記載の洗面台。
【請求項３】
前記内引出し（４）は、下段引出し（３）と連動して引き出され、内引出し（４）が引き出される内引出限界位置（Ｓ２）よりもさらに引出されて前記下段引出し（３）と内引出し（４）との連動が解除された後に、バネ機構（１６）により内引出し（４）が後方にスライド移動することを特徴とする請求項１または２に記載の洗面台。
【発明の詳細な説明】
【技術分野】
【０００１】
この発明は、ボウルや水栓等が取付けられたカウンターの下部に、引出し収納部を有する洗面台に関する。
【背景技術】
【０００２】
一般的に洗面台を設置する洗面室には、隣接して浴槽やトイレが配置され、且つ室内には洗濯機なども配置されることが多く、排水ホースやバケツ、粉石鹸箱や固形石鹸、各種のボトル洗剤や清掃道具、ドライヤーや化粧品等の多くの物品の収納場所が必要である。                            
そのため、従来の洗面化粧台に用いられる引出し付き洗面台は、開き戸収納部にバケツ等の大型物品を収納し、引出し収納部に化粧品や化粧道具などの小物物品を収納するようにしたものが多い。
【０００３】
特許文献１には、洗面所で使用する小物や大物物品を整理し使い勝手を良くする壁掛け式洗面器下部収納が紹介されている。
また、特許文献２には、洗面台ではないが、家具本体が大型化せず、最下段であっても収納物が目視でき、収納物の出し入れが容易で、引出し内部の収納物を確実に整理整頓できるキャビネットが開示されている。
【０００４】
【特許文献１】特開２００１−２０４６４１号公報
【特許文献２】特開２００２−３２０５２７号公報
【発明の開示】
【発明が解決しようとする課題】
【０００５】
しかしながら、特許文献１の図２（ｄ）に開示のものは、小物収納は引出し式で大物収納は回転式開き戸で行なうものである。これは、大小物品の収納は可能であるが、カウンター高さが８００ｍｍ程度の一般的な洗面台では、開き戸側にバケツ等の大物物品を収納した場合にバケツ上部に未収納空間が発生し収納効率が低下していた。
【０００６】
また、特許文献２の高さ寸法の大きい背高部と高さ寸法の小さい背低部が左右方向に位置する正面板（前板）をそれぞれ有する２つの引出しを一対となし、この一対となした引出しを上下方向に配置した状態で、２つの正面板で横長の長方形を形成する引出しを、上下に配置したキャビネットを本洗面台に適用した場合には、高さが異なる大小の物品を収納整理できるが、上下対を成した引出しで同一高さの収納部が複数できるため、一品一様の物品収納には適さず、引出し操作には各段毎の引出しの開閉操作が必要となり更なる操作性の改善が望まれていた。
【０００７】
本発明は、かかる現状に鑑み創案されたものであって、その目的とするところは、形状や大きさが様々な物品を、用途に応じて出し入れしやすく、且つ、高さ方向及び巾方向に効率よく整理収納することができる洗面台を提供しようとするものである。
【課題を解決するための手段】
【０００８】
上記課題を解決するために、本発明の請求項１に記載の洗面台は、下段引出しの前板の高さが、上段引出しの前板の高さの３倍以上である上下２段の引出し付き洗面台であって、前記下段引出しには下段引出しの前板の奥側で下段引出しの底板の上部に幅方向に段差を設けた深さの異なる内引出しが着脱可能で且つ前後スライド可能に具備されているものである。
【０００９】
この発明にあっては、化粧品やヘアワックス、ヘヤーピン等の薄型小物は、浅い上段引出しに収納でき、バケツなどの大物物品や保管用粉石鹸箱等は、内引出しの段差の高低に応じて下段引出し内に収納し、そして、ドライヤー、整髪料、洗剤ボトル、シャンプーボトル類等も内引出しの段差に応じて内引出しに収納整理できるため、形状の異なる大小様々な物品の収納が効率高く整理収納できる。また、内引出しは着脱可能であるため、取外して清掃ができ洗面台を清潔に保つことができる。
【００１０】
また、本発明の請求項２に記載の洗面台は、請求項１の発明に加えて、内引出しの段差が、底板に設けた開口部に深底収納体を着脱可能に設置することにより構成できるものである。
この発明にあっては、請求項１の効果に加え、内引出しの深底部を着脱可能な深底収納体で構成しているため、底が深く内部の清掃が困難な深底部も取り外しで清掃することにより清潔に保つことができる。また、一般的な引出しの底板をくり抜き開口して開口部を成形できるため、従来の製造設備が流用でき、生産性の維持向上や製造コストを低く抑えることができる。
【００１１】
更に、本発明の請求項３に記載の洗面台は、請求項１又は２の発明に加えて、内引出しが、下段引出しと連動して引き出され、内引出しが引き出される内引出限界位置よりもさらに引き出されて前記下段引出しと内引出しとの連動が解除された後に、バネ機構により内引出しが後方にスライド移動するものである。
この発明にあっては、請求項１または請求項２の発明の効果に加え、下段引出しの引き出し位置によって内引出しを引出し位置のままとしたり、収納位置である後方に自動的にスライド退避させることができるため、内引出し内の物品と内引出し下方の下段引出し内の収納物を探し易く且つ出し入れし易くすることができる。
【発明の効果】
【００１２】
以上説明したように、本発明は、洗面室で必要な多くの形状の異なる大小様々な物品を収納効率良く整理整頓でき、洗面台内を何時も清潔に清掃し易く、かつ、洗面台内に収納した物品の出し入れが容易にできると言う効果が得られる。
【発明を実施するための最良の形態】
【００１３】
本発明に係る洗面台の最良の形態を、実施例に基づいて以下説明する。
本発明の実施例を図面に基づいて説明する。先ず第１図は本発明の洗面台の斜視図であり、図２は、本発明の上段引出しと該上段引出しに着脱できる整理トレーの斜視図であり、図３は、本発明の下段引出しと該下段引出しの上部に配置される内引出しの斜視図で、図４は、本発明の内引出しの他の実施例を説明する斜視図で、図５は、本発明の洗面台の収納空間を説明する断面模式図で、（ａ）は左側面断面図、（ｂ）は正面断面、（ｃ）は右側面断面図である。
【００１４】
また、図６乃至図１３は、本発明の下段引出しと内引出しの連動動作を説明するためのものであり、図６の（ａ）は引出しが全て収納位置にある状態を示し、（ｂ）は下段引出しを引出し途中にある状態を示し、（ｃ）は下段引出しを内引出限界位置を超えて引き出した後の状態を示す断面模式図であり、図７は、内引出しが内引出限界位置まで引き出された状態を示す拡大縦断側面図で、図８は、下段引出しのトリガーピンがバネ機構に係合する状態を示す拡大縦断側面図で、図９は、バネ機構が動作して内引出しが後退した状態を示す拡大縦断側面図で、図１０は、内引出しを後方に向かって移動させる際のトリガーピンがバネ機構に係合する状態を示す拡大縦断側面図で、図１１は、バネ機構にエネルギーが蓄積されてソフトクローザーが動く状態を示す拡大縦断側面図である。
【００１５】
さらに、図１２の（ａ）は、下段引出しの引出し時にトリガーピンがバネ機構のカムに係合する状態を示す横断平面図であり、（ｂ）は、バネ機構が動作して後方に付勢される状態を示す横断平面図であり、（ｃ）はバネ機構のエネルギーが解放されて内引き出しが後退する状態を示す横断平面図で、図１３の（ａ）は、下段引出しの閉鎖時にトリガーピンがバネ機構のカムに係合する状態を示す横断平面図であり、（ｂ）は、バネ機構にエネルギーが蓄積される状態を示す横断平面図であり、（ｃ）は、バネ機構にエネルギーが蓄積完了した状態を示す横断平面図である。
【００１６】
以下、図１乃至図４の紙面左下側、および図７乃至図１１の紙面左側を前面側（手前側）とし、紙面右上側、および左側を後面側（奥側）として説明する。
【実施例１】
【００１７】
図１の符号１は本発明の洗面台である。この洗面台１は、ボウル６を備えるカウンター７の下部が引出しとなっており、上下２段の引出しにより構成される。洗面台１の幅は９００ｍｍ、奥行長さが４５０ｍｍであり、カウンター７の高さは８００ｍｍで、上段引出し２の前板高さが１３６ｍｍで、下段引出し３の前板高さが４８６ｍｍで、ケコミ部１ｅの高さが４６ｍｍである。特に本発明の洗面台１は、大物収納物と小物収納物を収納効率よく収納するため、上下２段の引出しの収納空間高さに差を持たせるべく構成しており、下段引出し３の前板３ａの高さを上段引出し２の前板２ａの高さの３倍以上となるように構成している。このように高さ配分することにより、一般的なカウンター高さの８００ｍｍ内に高さの高い大物収納物と高さの低い小物収納物が収納効率を高めて収納できるようにしており、上段引出し２に高さの低い小物収納物を収納する。
【００１８】
上段引出し２は、図２に示す如く、上方が解放された前板２ａと底板２ｂと両側側板２ｃと背板２ｄからなる箱体であり、背板２ｄは配管スペース等で必要に応じ奥側が凹み形状２ｆで構成される。この上段引出し２は、図示しない洗面台１の側板１ｃ内側に設けられた固定レールと側板２ｃに設けられた移動レールにより前後にスライド可能である。また、本実施例では、上段引出し内は仕切り板で区切っていないが、図２に示す如く、上段引出し内に内部を小区画に仕切り板で区切った整理トレー２ｅが着脱自在に設けられるようにしている。このようにすることで、収納する小物物品を整理整頓でき、また、整理トレー２ｅに汚れが付着した場合は取外して洗剤で清掃することができるので、引出し内を清潔に維持することができる。
【００１９】
次に、図３の下段引出し３について説明する。下段引出し３は大物物品が収納できるように背の高い前板３ａと底板３ｂと背の低い両側板３ｃおよび背板３ｄからなり、両側板３ｃと洗面台１の側板１ｃ内に設けられたスラードレール１０により前後に摺動させて引出しを開閉できるようになっている。
【００２０】
下段引出し３には下段引出し３の背の高い前板３ａの奥側に内引出し４が設けられ、内引出し４は洗面台１の両側側板１ｃ内に設けられたスライドレール１７に着脱可能であり、且つ下段引出し３に対して独立して該スライドレール１７により前後スライド可能になっている。
内引出し４の底板４ｂは、幅方向に段差４ｅが設けられ浅底部４ｆと深底部４ｇより構成され、浅底部４ｆの底板４ｂから下段引出し底板３ｂまでの距離は３１０ｍｍ以上で、幅は４００ｍｍ以上として、少なくとも大物物品の１つであるポリバケツが収納できるようになっている。また、内引出し４は、浅底部４ｆと深底部４ｇとの境界に中仕切り板４ｈを設けると収納物品の深底部４ｇへの落下を防止することができる。
【００２１】
図４は、前記内引出し４の他の実施例である。本実施例の内引出し４は、底板４ｂに開口部４ｉを設け該開口部４ｉに、上縁周囲にフランジ５ａを有する深底収納体５を、開口部４ｉ周縁に係止させて深底部を形成し、底板４ｂに段差を設けたものである。このような構成とすることで深底部４ｇである深底収納体５が内引出し４に着脱可能となるので、深底部内が清掃しやすく、また例えば深さの異なる深底収納体５を準備して置けは必要に応じて取り替えることができる。
【００２２】
図５は、本発明の洗面台１の収納空間の利用形態を説明するためのものである。利用形態としては、上段引出し２である領域Ａは、こまごました小物を広く見渡して利用できるとともに整理トレー２ｅで収納物品を整理陳列できるようにした小物収納エリアとして使用する。内引出し４の浅底部４ｆである領域Ｂは、ドライヤーや整髪料等の日常ヘヤケア収納エリアで、深底部４ｇの領域Ｃは、洗濯用洗剤やシャンプー、トリートメント等の日常ボトル収納エリアである。そして、下段引出し３である領域Ｄは、バケツや掃除洗剤およびストック品等の使用頻度の少ない収納エリアで、物品高さに応じて収納使用すると良い。
【００２３】
次いで、内引出し４と下段引出し３の連動機構について説明する。本連動機構は、本出願人が先に出願した特願２００７‐２３１８３５号に記載の技術を洗面台１の引出しに応用したものである。図６は、下段引出し３と内引出し４の動作状況を説明するもので、（ａ）は引出しが全て収納位置にある状態を示し、（ｂ）は下段引出し３が引出し途中にある状態を示し、（ｃ）は下段引出し３を内引出限界位置Ｓ２を超えて引き出した後に内引出し４が後方へスライドした時の状態を示している。すなわち、下段引出し３が閉じられた状態である（ａ）から、内引出し４が下段引出し３と連動して引き出され（ｂ）、内引出し４が引き出される内引出限界位置Ｓ２よりもさらに引出されて下段引出し３と内引出し４との連動が解除された後に、バネ機構１６により内引出し４が後方向にスライド移動して最奥端（ｃ）で停止するようになっている。
【００２４】
以下、図７乃至図１３を用いて、その連動機構について詳細に説明する。
前述したように、下段引出し３の左右側部３ｃ、３ｃと洗面台１の側板１ｃ間には、下段引出し３を前後方向に摺動させるスライドレール１０が設けられている。このスライドレール１０によって、下段引出し３は、下段引出し３の収納位置と下段引出し３の下段引出限界位置Ｓ１との間で、開放方向（前方向）及び閉鎖方向（後方向）に自在に移動できるようになっている（図９参照）。
【００２５】
また、図７に示すように、スライドレール１０の後端部には、下段引出し３が洗面台１内に収納されるときに、下段引出し３の移動速度を減速させるための周知の減速手段としてのソフトクローザー１１（緩衝装置）が設けられている。
【００２６】
更に、下段引出し３の収納箱体の背板３ｄ背面側には、後述する内引出し４の金属片１２（磁性体）に吸引される永久磁石１３（磁性体）が設けられている。更に、背板３ｄの上端部には、本実施例における切換手段としてのトリガーピン１４が内引出し４に向けて立設されている（図１２（ａ）参照）。
【００２７】
図７に示すように、内引出し４の左右側部４ｃと洗面台１の側板１ｃ間には、下段引出し３と同じくスライドレール１５が設けられている。このスライドレール１５によって、内引出し４は、内引出し４の収納位置と内引出しの内引出限界位置Ｓ２との間で、前後方向に移動できるようになっている。
【００２８】
また、スライドレール１５の後端部には、スライドレール１０と同じくソフトクローザー１１が設けられている。尚、図７及び図９に示すように、洗面台１の正面側から下段引出し３の下段引出限界位置Ｓ１までの距離は、洗面台１の正面側から内引出し４の内引出限界位置Ｓ２までの距離よりも長くなっている。
【００２９】
内引出し４の後端部には、本実施例における磁性体としての金属片１２が下方に向かって延設されており、この金属片１２は、前述した下段引出し３の永久磁石１３に吸着されるようになっている。これら永久磁石１３と金属片１２とが、互いに吸引して接合されることによって、下段引出し３と内引出し４とが連結されるようになっており、下段引出し３が洗面台１内から引き出されると、内引出し４が下段引出し３に連動して洗面台１内から引き出されるようになる。
【００３０】
また、図６に示すように、内引出し４の下面における右方側には、本実施例におけるバネ機構１６が設けられている。図１２（ａ）に示すように、バネ機構１６は、左方側に外部と連通する開口部１７ｂが形成された薄型箱体形状をなすケース体１７を有し、このケース体１７内には、本実施例における回動部材としてのカム１８が配置され、ケース体１７には、カム１８の軸１８ａを軸支する軸孔１７ａが形成されている。
【００３１】
また、カム１８は、平面視で略半円形状に形成され、この半円の中心に軸１８ａが設けられている。更に、カム１８の一部は、ケース体１７の開口部１７ｂから外部に突出されるようになっている。更に、カム１８を回動付勢する本実施例における弾性体及び付勢部材としてのバネ１９（コイルバネ）が設けられている。また、ケース体１７の内壁下面には、上方に向かって平面視で円形状をなすストッパー２０が立設されている。
【００３２】
また、カム１８の円弧を形成している端縁部から径方向にかけて、下段引出し３のトリガーピン１４が係合する係合溝１８ｂが形成されている。尚、この係合溝１８ｂは、後述するように、下段引出し３に固定されたトリガーピン１４が係合状態を維持できるように、径方向にむかって所定の長さを有している。
【００３３】
更に、カム１８には、ストッパー２０が挿通される平面視で略円弧状をなす規制溝１８ｃが形成されている。この規制溝１８ｃ内にストッパー２０が配置されることによって、カム１８の回動範囲が規制されている。尚、カム１８の回動範囲が規制されることによって、係合溝１８ｂは、常にカム１８の開口部１７ｂからケース体１７の外部に突出されるようになっている。
【００３４】
図１２（ｃ）に示すように、カム１８の上面側（紙面手前側）において、軸１８ａと規制溝１８ｃ間には、バネ１９を係止する係止部１８ｄが設けられているとともに、ケース体１７の右後端部には、同じくバネ１９を係止する係止部１７ｃが設けられている。これら係止部１７ｃ，１８ｄ間にバネ１９が掛け渡されている。尚、バネ１９は、伸張して弾性変形することで、その弾性力を蓄積するようになっているとともに、圧縮して弾性復元することで、その弾性力を解放するようになっている。
【００３５】
尚、図１２（ａ）に示すように、バネ１９が伸張された状態から図１２（ｃ）に示すように、バネ１９が圧縮された状態になる回動方向、すなわちカム１８が平面視で反時計回りに回動する回動方向を解放回動方向と称する。更に尚、図１３（ａ）に示すように、バネ１９が圧縮された状態から図１３（ｃ）に示すように、バネ１９が伸張された状態になる回動方向、すなわちカム１８が平面視で時計回りに回動する回動方向を蓄積回動方向と称する。
【００３６】
図１３（ａ）から図１３（ｃ）に示すように、バネ機構１６のカム１８の係合溝１８ｂにトリガーピン１４が係合することによって、カム１８が蓄積回動方向に回動されると、カム１８の上面に設けられている係止部１８ｄも蓄積回動方向に回動するので、バネ１９は係止部１７ｃを固定端としてカム１８を蓄積回動方向に回動付勢する。それに伴ってバネ１９は伸張して弾性エネルギーが蓄積される。
【００３７】
図１３（ｃ）に示すように、ストッパー２０が規制溝１８ｃを係止することで、カム１８の蓄積回動方向の回動が停止される。このとき、バネ１９には、伸張されたことにより元の長さに圧縮しようとする復元力が働き、係止部１８ｄが係止部１７ｃと軸１８ａを結ぶ仮想線Ｖ１を越えた位置でカム１８の回動が停止されているため、バネ１９の復元力はカム１８を蓄積回動方向に付勢するようになり、バネ１９は伸張された状態、すなわち弾性エネルギーを蓄積した状態で保持される。
【００３８】
図１２（ａ）から図１２（ｃ）に示すように、バネ機構１６のカム１８の係合溝１８ｂにトリガーピン１４が係合することによって、カム１８が解放回動方向に回動されると、カム１８の上面に設けられている係止部１８ｄも解放回動方向に回動するので、バネ１９は係止部１７ｃを固定端としてカム１８を解放回動方向に回動付勢する。それに伴ってバネ１９は圧縮して弾性エネルギーが解放される。
【００３９】
このとき、係止部１８ｄが係止部１７ｃと軸１８ａを結ぶ仮想線Ｖ１を越えると、カム１８の蓄積回動方向に働いていたバネ１９の復元力の向きがカム１８の解放回動方向に切り換えられるので、バネ１９は復元力によりカム１８を解放回動方向に回動させながら図１２（ｃ）に示すように、元の圧縮された長さに戻る。
【００４０】
尚、後述するように、バネ機構１６と金属片１２との間には、所定の間隔が形成されている。内引出し４のスライドレール１５が限界まで引き出されることによって、内引出しが引出限界位置Ｓ２まで引き出され、下段引出し３と内引出し４の連結が解除されると、下段引出し３に設けられたトリガーピン１４は、バネ機構１６と金属片１２との間を所定距離移動した後に、バネ機構１６のカム１８の係合溝１８ｂに係合するようになっている。
【００４１】
図６に示すように、洗面台１内の収納位置に収納されている状態の下段引出し３を、使用者が把手８を把持して正面側に引き出すと、図７に示すように、下段引出し３と内引出し４とは、それぞれの後部に設けられた永久磁石１３と金属片１２によって連結された状態で引き出されるようになっている。
【００４２】
また、このときのバネ機構１６内のバネ１９は、図１２（ａ）に示すように、既にエネルギーが蓄積された状態となっているが、下段引出し３と内引出し４が連動している状態であるので、トリガーピン１４が係合されることがなく、バネ１９はエネルギーを蓄積さした状態で保持されている。
【００４３】
図７に示すように、使用者が下段引出し３を正面側にさらに引き出し続けると、下段引出し３に連動されて引き出されている内引出し４が、内引出しの内引出限界位置Ｓ２に到達する。このとき、使用者が下段引出し３を正面側に引き出す力が、永久磁石１３と金属片１２の磁着状態を解除する方向に働くので、使用者は永久磁石１３と金属片１２の磁着する吸引力を抵抗として感知し、内引出し４が内引出しの内引出限界位置Ｓ２に到達したことを認識することができる。尚、使用者が内引出し４を使用する場合には、この内引出し４が内引出しの内引出限界位置Ｓ２に到達したときが最も収納部を大きく開放して使用することができるので、収納物の取り出しや収納を容易に行うことができる。
【００４４】
また、使用者が下段引出し３を使用する場合には、図７に示す状態から下段引出し３を正面側にさらに引き出すことで、永久磁石１３と金属片１２の磁着を解除し、下段引出し３と内引出し４の連動を解除する。そして、図１２に示すように、下段引出し３と内引出し４の連動を解除した状態から、使用者が下段引出し３を正面側に引き出すことで、下段引出し３に設けられたトリガーピン１４が、内引出し４の下面に設けられたバネ機構１６の係合溝１８ｂに係合する。尚、使用者はトリガーピン１４が係合溝１８ｂに係合する前であれば永久磁石１３と金属片１２の磁着が解除されていても内引出し４を使用することができる。
【００４５】
そして、図８及び図１２（ａ）に示すように、使用者が下段引出し３を正面側にさらに引き出すことによって、下段引出し３に設けられたトリガーピン１４が、係合溝１８ｂに係合することで、トリガーピン１４がカム１８を解放回動方向に回動させる。
【００４６】
図１２（ｂ）に示すように、係止部１７ｃの位置が軸１８ａと係止部１８ｄを結ぶ仮想線Ｖ１を越える位置まで、トリガーピン１４がカム１８を解放回動方向に回動させると、バネ１９が圧縮されるようになり、バネ１９に蓄積されていた弾性エネルギーが解放され、バネ１９がカム１８を強制的に回動させるようになる。
【００４７】
更に、図１２（ｂ）から図１２（ｃ）に示すように、バネ１９によりカム１８が強制的に解放回動方向に回動することで、カム１８の回動力が、トリガーピン１４を正面側に押圧するように働くようになる。このとき内引出し４の重量は下段引出し３の重量よりも軽く、さらに下段引出し３は、使用者によって把手８を把持されているので、カム１８がトリガーピン１４を正面側に押圧することで、その反力により、内引出し４が閉鎖方向（後方向）に移動されるようになる。
【００４８】
図９に示すように、バネ機構１６が設けられている内引出し４は、バネ１９の付勢力により移動エネルギーが付与され、洗面台１内の収納位置まで移動する。尚、内引出し４は、収納位置の近傍で、スライドレール１５の後端部に設けられたソフトクローザー１１によって減速されて、閉鎖完了時にスムーズに内引出し４の移動が停止される。
【００４９】
そして、内引出し４が洗面台１内の収納位置まで移動した後に、下段引出し３が下段引出しの引出限界位置Ｓ１まで引き出され、収納部が上方に最も大きく開口した状態となり、使用者は下段引出し３内の収納物を容易に出し入れすることができる。
【００５０】
下段引出しの下段引出限界位置Ｓ１から下段引出し３を洗面台１内の収納位置に移動させる際には、先ず、図９に示す状態から使用者が把手７を掴んで下段引出し３を閉鎖方向（後方向）に向かって移動させる。
【００５１】
図１０及び図１３（ａ）に示すように、下段引出し３を閉鎖方向に向かって移動させていくと、トリガーピン１４がバネ機構１６のカム１８の係合溝１８ｂに係合する。そして、図１３（ｂ）に示すように、トリガーピン１４が係合溝１８ｂに係合した状態で下段引出し３をさらに閉鎖方向（後方向）に移動させることで、カム１８がトリガーピン１４により蓄積回動方向に回動される。このように、下段引出し３の閉鎖方向に移動するときの移動エネルギーが、カム１８の回動によりバネ１９が伸張して弾性変形される弾性エネルギーとして変換されて蓄積される。
【００５２】
そして、図１１及び図１３（ｃ）に示すように、さらに下段引出し３を閉鎖方向（後方向）に移動させることで、カム１８の係止部１８ｄが仮想線Ｖ１を越えるまで蓄積回動方向に回動させ、バネ１９が移動エネルギーを蓄積する。
【００５３】
更に、図１１に示すように、バネ機構１６に移動エネルギーを蓄積した後に、スライドレール１０の後端部に設けられたソフトクローザー１１によって下段引出し３が減速されて、閉鎖完了時にスムーズに下段引出し３の移動が停止される。尚、下段引出し３が洗面１内の収納位置に停止するとともに、下段引出し３の永久磁石１３が内引出し４の金属片１２に磁着され、下段引出し３と内引出し４が連結される。
【００５４】
以上、本実施例における洗面台１では、エネルギー蓄積手段としてのバネ機構１６が、下段引出し３が閉鎖方向に移動するときに移動エネルギーを蓄積することで、下段引出し３と内引出し４とを引き出すときには、バネ機構１６が両引出し３，４に対していかなる反発力も生じさせないため、下段引出し３と内引出し４とを引き出し易くなる。
そのため下段引出し３と内引出し４とが連動している状態であっても、使用者が下段引出し３から手を放すことができ、内引出し４内の収納物を容易に取り出すことができる。
【００５５】
また、エネルギー蓄積手段としてのバネ機構１６が、下段引出し３と内引出し４とが連動するときに、移動エネルギーを保持することで、下段引出し３と内引出し４とが連動している状態では、両引出し３，４を開放方向に移動させても、閉鎖方向に移動させても、バネ機構１６に蓄積された移動エネルギーが両引出し３，４に対していかなる反発力も生じさせず、蓄積されている移動エネルギーを解放する虞もないため、両引出し３，４の引き出し操作を行い易くなる。
【００５６】
また、下段引出し３が、内引出し４が引き出される内引出限界位置Ｓ２よりもさらに引き出されて下段引出し３と内引出し４との連動が解除された後に、エネルギー蓄積手段としてのバネ機構１６が、移動エネルギーを解放することで、下段引出し３と内引出し４とが連動している状態では、使用者は、内引出し４が閉鎖方向に移動することがないことを認識しながら、両引出し３，４の引き出し操作を行うことができ、かつ使用者が、内引出し４を閉鎖方向に移動させたい場合には、下段引出し３を内引出し４の内引出限界位置Ｓ２よりもさらに引き出すようにすればよく、下段引出し３及び内引出し４の使い勝手がよくなる。
【００５７】
尚、下段引出し３と内引出し４との連動が解除されてから、下段引出し３が所定距離引き出された後に、エネルギー蓄積手段としてのバネ機構１６の移動エネルギーが解放されるように設定すれば、両引出し３，４の連動が解除されたことを使用者が認識することで、使用者は、内引出し４が内引出限界位置Ｓ２にあることを容易に認識することができ、使用者は、両引出し３，４の連結が解除された直後に、下段引出し３を引き出す操作をやめれば、内引出し４を最も大きく開口した状態で使用することができる。
【００５８】
また、エネルギー蓄積手段としてのバネ機構１６は、弾性体としてのバネ１９を変形させることで移動エネルギーを蓄積することで、エネルギー蓄積手段を容易に構成することができる。
【００５９】
また、エネルギー蓄積手段としてのバネ機構１６は、回動自在に設けられた回動部材としてのカム１８と、このカム１８を、移動エネルギーを解放する解放回動方向、または移動エネルギーを蓄積する蓄積回動方向のいずれか一方向に回動付勢する付勢部材としてのバネ１９と、を有し、下段引出し３は、前記両回動方向を切り換える切換手段としてのトリガーピン１４を備えることで、トリガーピン１４がバネ１９によるカム１８の回動付勢方向を切り換えることで、移動エネルギーがバネ機構１６に蓄積されたり、解放されたりするようになり、カム１８とバネ１９という簡素な構成でバネ機構１６を製作できる。
【００６０】
また、下段引出し３と内引出し４とは、互いに設けられた磁性体としての金属片１２及び永久磁石１３の吸引力によって連動されることで、金属片１２及び永久磁石１３の吸引力を利用して、下段引出し３と内引出し４との連動及び解除を容易に行うことができる。
【００６１】
また、内引出し４の奥行き長さは、下段引出し３の奥行き長さよりも短く構成され、下段引出し３と内引出し４とは、互いの後部同士が磁性体としての金属片１２及び永久磁石１３により連結されることで、下段引出し３の前部側には、内引出し４に干渉されない収納空間としての空間部９が形成されるようになり、内引出し４を閉鎖方向に移動させなくても下段引出し３の前部側に収納された収納物を取り出すことができ、かつ下段引出し３の前部側に背の高い収納物を収納させることもできる。
【００６２】
また、エネルギー蓄積手段としてのバネ機構１６が移動エネルギーを蓄積した後に、下段引出し３が閉鎖方向に移動する移動速度を減速させる減速手段としてのソフトクローザー１１を備えることで、下段引出し３が閉鎖方向に移動する移動エネルギーが、ソフトクローザー１１により低減されていない状態で、移動エネルギーをバネ機構１６に蓄積できるため、大きな移動エネルギーを蓄積し易くなっており、かつソフトクローザー１１により下段引出し３の閉鎖完了時にスムーズに下段引出し３の移動を停止させることができる。
【００６３】
以上、本発明の実施例を図面により説明してきたが、具体的な構成はこれら実施例に限られるものではなく、本発明の要旨を逸脱しない範囲における変更や追加があっても本発明に含まれる。
【００６４】
例えば、前記実施例１では、下段引出し３と内引出し４とを磁性体としての永久磁石１３と金属片１２を磁着させることによって連結させるようにしているが、下段引出し３と内引出し４とを連結（連動）させるためには、必ずしも磁性体を用いる必要はなく、下段引出し３と内引出し４に雄具と雌具からなるジョイント部材を設け、雄具と雌具とを連結させつつ、所要の外力が加わった際に分離できるようにしてもよい。
【００６５】
また、前記実施例１では、下段引出し３の後端上部に永久磁石１３を設け、内引出し４の後端下部に金属片１２を設けているが、例えば、下段引出し３の側部３ｃの途中上部に永久磁石１３を設けるとともに、内引出し４の前端下部に金属片１２を設けてもよいし、また、内引出し４の奥行き長さを下段引出し３の奥行き長さと略同一に形成して、下段引出し３の前端上部に永久磁石１３を設けるとともに、内引出し４の前端下部に金属片１２を設けるようにしてもよく、下段引出し３及び内引出し４において永久磁石１３や金属片１２を設ける位置は、特に限定されるものではない。
【００６６】
また、前記実施例１では、下段引出し３に永久磁石１３を設け、内引出し４に金属片１２を設けているが、下段引出し３と内引出し４とに、それぞれ極性の異なる永久磁石を設けるようにしてもよいし、下段引出し３に金属片を設け、内引出し４に永久磁石を設けるようにしてもよい。
【００６７】
また、前記実施例１では、移動エネルギーを蓄積する弾性体としてバネ１９を用いているが、弾性体はバネ１９に限らず、例えば、エアダンパー内の空気などの弾性を有する流体であってもよい。
【００６８】
また、前記実施例１では、バネ機構１６がバネ１９を伸張させることにより弾性エネルギーを蓄積する構成となっているが、バネ機構１６がバネ１９を圧縮させて弾性エネルギーを蓄積する構成としてもよい。
【００６９】
また、前記実施例１では、下段引出し３と内引出し４の連動が解除された後に、下段引出し３が所定距離引き出された後に、バネ機構１６に蓄積された移動エネルギーを解放されているが、下段引出し３と内引出し４の連動が解除されると同時に移動エネルギーが解放されてもよい。
【００７０】
また、前記実施例１では、下段引出し３に切換手段としてのトリガーピン１４が設けられ、下段引出し３と内引出し４の連動が解除された後に、エネルギー蓄積手段としてのバネ機構１６に蓄積された移動エネルギーを解放されているが、切換手段としてのトリガーピンを洗面台１の側板１ｃに設けたり、切換手段をトリガーピンではなく使用者が押圧するスイッチ等により構成することで、下段引出し３と内引出し４の連動が解除される前に、エネルギー蓄積手段の移動エネルギーが解放されるようにしてもよい。
【００７１】
また、前記実施例１では、内引出し４の奥行き長さを下段引出し３の奥行き長さよりも短く形成し、下段引出し３の前板３ａ背面と内引出し４の前端部正面間に形成された空間部９に、背の高い収納物を収納可能としているが、下段引出し３及び内引出し４の奥行き長さを略同一寸法に形成し、下段引出し３と内引出し４とが連動している状態では、内引出し４によって下段引出し３の収納部が隠蔽されるようにしてもよい。
【００７２】
また、前記実施例１では、トリガーピン１４をカム１８の係合溝１８ｂに係合させてカム１８を回動させているが、下段引出し３にラックギアを設け、カム１８の端縁に歯形を形成し、ラックギアとカム１８に形成した歯形を噛合させることで、カム１８を回動させるようにしてもよい。
【図面の簡単な説明】
【００７３】
【図１】本発明の洗面台の斜視図である。
【図２】本発明の上段引出しと該上段引出しに着脱できる整理トレーの斜視図である。
【図３】本発明の下段引出しと該下段引出しの上部に配置される内引出しの斜視図である。
【図４】本発明の内引出しの他の実施例を説明する斜視図である。
【図５】本発明の洗面台の収納空間を説明する断面模式図で、（ａ）は左側面断面図、（ｂ）は正面断面、（ｃ）は右側面断面図である。
【図６】本発明の下段引出しと内引出しの動作状況及び機構を説明するためのもので、（ａ）は引出しが全て収納位置にある状態を示し、（ｂ）は下段引出しを引出し途中にある状態を示し、（ｃ）は下段引出しを引出限界位置を超えて引き出した後の状態を示す断面模式図である。
【図７】内引出しが引出限界位置まで引き出された状態を示す拡大縦断側面図である。
【図８】下段引出しのトリガーピンがバネ機構に係合する状態を示す拡大縦断側面図である。
【図９】バネ機構が動作して内引出しが後退した状態を示す拡大縦断側面図である。
【図１０】内引出しを後方に向かって移動させる際のトリガーピンがバネ機構に係合する状態を示す拡大縦断側面図である。
【図１１】バネ機構にエネルギーが蓄積されてソフトクローザーが動く状態を示す拡大縦断側面図である。
【図１２】（ａ）は、下段引出しぼ引出し時にトリガーピンがバネ機構のカムに係合する状態を示す横断平面図であり、（ｂ）は、バネ機構が動作して後方に付勢される状態を示す横断平面図であり、（ｃ）はバネ機構が後退する状態を示す横断平面図である。
【図１３】（ａ）は、下段引出しの閉鎖時にトリガーピンがバネ機構のカムに係合する状態を示す横断平面図であり、（ｂ）は、バネ機構にエネルギーが蓄積される状態を示す横断平面図であり、（ｃ）は、バネ機構にエネルギーが蓄積完了した状態を示す横断平面図である。
【符号の説明】
【００７４】
１  洗面台
１ｃ  側板
１ｅ  ケコミ部
２  上段引出し
２ａ  前板
２ｂ  底板
２ｃ  側板
２ｄ  背板
２ｅ  整理トレー
２ｆ  凹み形状
３  下段引出し
３ａ  前板
３ｂ  底板
３ｃ  側板
３ｄ  背板
４  内引出し
４ａ  前板
４ｂ  底板
４ｃ  側板
４ｄ  背板
４ｅ  段差部
４ｆ  浅底部
４ｇ  深底部
４ｈ  中仕切り板
４ｉ  開口部
５  深底収納体
５ａ  フランジ
６  ボウル
７  カウンタ
８  取手
９  空間部（収納空間）
１０  スライドレール（下段引出し用）
１１  ソフトクローザー（減速手段）
１２  金属片（磁性体）
１３  永久磁石（磁性体）
１４  トリガーピン（切換手段）
１５  スライドレール（内引出し用）
１６  バネ機構（エネルギー蓄積手段）
１８  カム（回動部材）
１９  バネ（弾性体，付勢部材）
２１  錘機構（エネルギー蓄積手段）
２２  カム（回動部材）
２３  錘（付勢部材）
２４  トリガーピン（切換手段）
Ｓ１  下段引出限界位置
Ｓ２  内引出限界位置
【図１】
2010075326.tif 000003
【図２】
2010075326.tif 000004
【図３】
2010075326.tif 000005
【図４】
2010075326.tif 000006
【図５】
2010075326.tif 000007
【図６】
2010075326.tif 000008
【図７】
2010075326.tif 000009
【図８】
2010075326.tif 000010
【図９】
2010075326.tif 000011
【図１０】
2010075326.tif 000012
【図１１】
2010075326.tif 000013
【図１２】
2010075326.tif 000014
【図１３】
2010075326.tif 000015